(57)【要約】【課題】空調ユニットのサイズバリエーションに対応可能な搬送装置を提供する。【解決手段】搬送装置１は、空調ユニットが取り付けられる複数のユニット支持部材８と、ユニット支持部材がそれぞれ固定されている２個のベース部材２，３と、を備える。さらに搬送装置１は、隣り合うベース部材２とベース部材３とを連結する寸法可変部材としての、第１連結部材４、第２連結部材５および第３連結部材６を備える。この寸法可変部材は、ベース部材２とベース部材３とを合わせた全体の幅方向長さを少なくとも２種類の長さに変更可能な構成を備える。【選択図】図１
2018203271.tif 000002
【特許請求の範囲】
【請求項１】
空調機能部品を搭載した空調ユニット（１００）が取り付けられる複数のユニット支持部材（８）と、
前記ユニット支持部材がそれぞれ固定されている複数のベース部材（２，３）と、
複数の前記ベース部材全体の幅方向長さを少なくとも２種類の長さに変更可能に、複数の前記ベース部材のうち隣り合う２個の前記ベース部材を連結する寸法可変部材（４，５，６）と、
を備える搬送装置。
【請求項２】
前記ベース部材は、複数の前記ベース部材の並び方向に沿って延びる枠部（２０，３０）を備え、
前記寸法可変部材は、前記並び方向に隣接する２個の前記ベース部材に関する前記枠部と前記枠部とを複数の異なる離間距離で連結可能な連結部材（４，５，６）を備える請求項１に記載の搬送装置。
【請求項３】
前記連結部材は、前記並び方向に間隔をあけて並ぶ複数の連結側孔部（４０ａ１，４０ｂ１，４０ａ２，４０ｂ２，５０ａ１，５０ｂ１，５０ａ２，５０ｂ２）を有し、
前記枠部は、前記並び方向に間隔をあけて並ぶ複数のベース側孔部（２０ａ１，２０ａ２，２０ａ３，２０ａ４，３０ａ１，３０ａ２，３０ａ３，３０ａ４，２０ｂ１，２０ｂ２，２０ｂ３，２０ｂ４，３０ｂ１，３０ｂ２，３０ｂ３，３０ｂ４）を有し、
前記連結側孔部と前記ベース側孔部とに挿通された状態で、前記並び方向に隣接する前記枠部と前記枠部とを固定する固定具（９）を備える請求項２に記載の搬送装置。
【請求項４】
前記連結部材は、前記枠部の上壁、下壁および側壁を覆うように前記枠部の外側に嵌められる構成である請求項２または請求項３に記載の搬送装置。
【請求項５】
前記連結部材は、前記枠部の上壁、下壁および側壁を覆うように前記枠部の外側に嵌められる構成であり、
複数の前記連結側孔部は、前記枠部の上壁、下壁を覆う前記連結部材の上壁、下壁にそれぞれ設けられ、
複数の前記ベース側孔部は、前記枠部の上壁、下壁にそれぞれ設けられている請求項３に記載の搬送装置。
【請求項６】
前記固定具は雄ねじ部を有し、
前記連結部材の下壁に設けられている前記連結側孔部は、前記固定具の前記雄ねじ部が螺合可能な雌ねじ部を備える請求項５に記載の搬送装置。
【請求項７】
前記ベース部材は、それぞれ前記枠部よりも上方に突出する形状であるとともに前記並び方向に間隔をあけて設けられる複数の上方突出部（７０，２１，３１）と、それぞれ前記枠部よりも下方に突出する形状であるとともに前記並び方向に間隔をあけて設けられる複数の下方突出部（７２，２１ａ，３１ａ）と、を備え、
前記並び方向に隣接する前記枠部と前記枠部との前記離間距離が異なる搬送装置を上下方向に積み上げた状態で、下方の前記搬送装置における前記上方突出部と下方の前記搬送装置における前記下方突出部とは、互いに嵌り合う位置に設けられている請求項２から請求項６のいずれか一項に記載の搬送装置。
【請求項８】
前記ベース部材は、前記上方突出部よりも上方に突出する第１突出部（７１）と、上方に延びる形状であって前記第１突出部に対して着脱可能に設けられたアタッチメント（７３）と、を備える請求項７に記載の搬送装置。
【請求項９】
前記並び方向に対して直交する方向に離間して対向する複数の前記連結部材を備える請求項２から請求項８のいずれか一項に記載の搬送装置。
【請求項１０】
前記連結部材のそれぞれは、前記枠部よりも下方において前記並び方向に離間する複数の管状部（４１，５１，６１）を備える請求項９に記載の搬送装置。
【発明の詳細な説明】
【技術分野】
【０００１】
この明細書における開示は、空調ユニットを搬送するための搬送装置に関する。
【背景技術】
【０００２】
特許文献１には、レフユニット本体および付属部品の一括搬送に何度も繰り返し使用できる陸上輸送用冷凍装置の搬送装置が開示されている。この搬送装置は、冷凍車の荷台に搭載されたコンテナの内部を冷却して所望の低温を維持する陸上輸送用冷凍装置を、冷凍車への取り付けを行う取付現場まで運ぶときに用いられる。搬送装置は、鋼材を組み合わせて構成されており、外周部を柱状部材に支持されたベース部材、ベース部材に固定支持されたユニット支持部材と、ベース部材に取付けられた付属品収納箱と、を備えている。
【先行技術文献】
【特許文献】
【０００３】
【特許文献１】特許第５０１０２８６号公報
【発明の概要】
【発明が解決しようとする課題】
【０００４】
近年、空調ユニットには、空調対象空間、搭載装置等によって、様々なサイズの製品が要望されている。特許文献１に記載の搬送装置のように、あるサイズの空調ユニットしか搬送できない場合、サイズごとに搬送装置が必要になり、搬送装置の種類の増加、保管場所の確保等の問題がある。また、大きなサイズの搬送装置を用いて、異なるサイズの空調ユニットを搬送する場合、搬送時に無駄なスペースを生じて、搬送効率がよくない。上述の観点において、または言及されていない他の観点において、搬送装置にはさらなる改良が求められている。
【０００５】
この明細書における開示の目的は、空調ユニットのサイズバリエーションに対応可能な搬送装置を提供することである。
【課題を解決するための手段】
【０００６】
この明細書に開示された複数の態様は、それぞれの目的を達成するために、互いに異なる技術的手段を採用する。また、特許請求の範囲およびこの項に記載した括弧内の符号は、ひとつの態様として後述する実施形態に記載の具体的手段との対応関係を示す一例であって、技術的範囲を限定するものではない。
【０００７】
開示された搬送装置のひとつは、空調機能部品を搭載した空調ユニット（１００）が取り付けられる複数のユニット支持部材（８）と、ユニット支持部材がそれぞれ固定されている複数のベース部材（２，３）と、複数のベース部材全体の幅方向長さを少なくとも２種類の長さに変更可能に、複数のベース部材のうち隣り合う２個のベース部材を連結する寸法可変部材（４，５，６）と、を備える。
【０００８】
この搬送装置によれば、隣り合う２個のベース部材を連結する寸法可変部材によって、複数のベース部材全体の幅方向長さを少なくとも２種類の長さに変更することができる。これにより、少なくとも２種類の幅方向長さが異なる空調ユニットを複数のベース部材全体の幅方向長さの範囲に収容可能であり搬送装置に設置することができる。したがって、空調ユニットのサイズバリエーションに対応可能な搬送装置を提供できる。
【図面の簡単な説明】
【０００９】
【図１】第１実施形態の搬送装置の分解斜視図である。
【図２】第１実施形態の搬送装置について、ベース部材の幅方向長さを大きくした状態を示す平面図である。
【図３】第１実施形態の搬送装置について、ベース部材の幅方向長さを小さくした状態を示す平面図である。
【図４】第１実施形態の搬送装置の正面図である。
【図５】第１実施形態の搬送装置の側面図である。
【図６】第１実施形態の搬送装置に係る第１連結部材の正面図である。
【図７】第１連結部材の平面図である。
【図８】第１連結部材の側面図である。
【図９】第３連結部材の正面図である。
【図１０】第３連結部材の平面図である。
【図１１】第３連結部材の側面図である。
【図１２】第１突出部とアタッチメントとを示す斜視図である。
【図１３】搬送装置に空調ユニットを取り付けた状態を示す斜視図である。
【図１４】搬送装置に空調ユニットを取り付けた状態を示す正面図である。
【図１５】搬送装置に空調ユニットを取り付けた状態を示す側面図である。
【図１６】幅方向長さを小さくした状態のベース部材および第１連結部材を示す部分斜視図である。
【図１７】幅方向長さを大きくした状態のベース部材および第１連結部材を示す部分斜視図である。
【図１８】幅方向長さが異なる複数の搬送装置を上下に段積みした例を説明するための正面図である。
【図１９】幅方向長さが異なる複数の搬送装置を上下に段積みした例を説明するための背面図である。
【図２０】幅方向長さが異なる複数の搬送装置を上下に段積みした例を説明するための側面図である。
【図２１】図１８におけるXXI部を示した部分拡大図である。
【図２２】図１８におけるXXII部を示した部分拡大図である。
【発明を実施するための形態】
【００１０】
（第１実施形態）
第１実施形態の搬送装置１について、図１〜図２２を参照して説明する。搬送装置１は、冷凍車両、冷蔵車両等に搭載可能な空調装置を搬送するための装置である。搬送装置１は、例えば陸上輸送用冷凍装置として用いられる空調ユニットであって、大きさの異なる複数種類の空調ユニットを効率的に搬送可能な輸送用装置である。
【００１１】
搬送装置１に取り付けられる空調ユニット１００は、所定の空間を空調する空調装置の一部であり、冷凍サイクルを含む空調機能部品を備える。冷凍サイクルは、圧縮機、凝縮器、膨張弁、蒸発器、これらを接続する配管等を備えている。空調ユニット１００は、冷凍サイクルをケーシング内に内蔵したパッケージ型ユニットである。また、冷凍サイクルを構成する機能部品のうち少なく一つを空調ユニット１００の外部に設置する構成としてもよい。空調ユニット１００は、例えば、空調対象空間であるコンテナの前部における上部に設置され、空調ユニット１００で作られる冷却風はコンテナ内の全体に向けて送風される。
【００１２】
空調ユニット１００の冷凍能力やサイズは、空調対象空間の大きさ、空調温度、冷凍品の種類、冷蔵品の種類等によって多種多様である。この空調ユニットは、車両のバリエーションや必要とする冷凍能力によって、多種類のものが製造され、その大きさが異なっている。この明細書では、空調ユニットのサイズバリエーションに対応可能な搬送装置を提供することにより、搬送装置１の管理費用を抑えることができ、空調ユニットの大きさに適合した搬送装置１によって物流費用の低減を図ることができる。
【００１３】
次に搬送装置１の構成について説明する。図１に図示するように、搬送装置１は、それぞれ所定の形状の枠体を形成する複数のベース部材２，３と、並置された複数のベース部材２，３を一体に連結するための複数の連結部材４，５，６と、を備える。搬送装置１は、ベース部材２、ベース部材３に固定されて、空調ユニット１００が取り付けられる複数のユニット支持部材８を備える。
【００１４】
ユニット支持部材８は、各ベース部材２，３において、搬送装置１における背部側に１個ずつ設けられている。ユニット支持部材８は、例えば、断面Ｌ字形の細長状の部材である。ユニット支持部材８は、図１に示す空調ユニット１００が設置可能な状態では長手方向を上下方向に向けた姿勢である。ユニット支持部材８は、図１８に示すように、空調ユニット１００を設置していない状態の複数の搬送装置１を上下方向に段積みする場合には、下部を支点として折りたたまれる姿勢である。したがって、ユニット支持部材８は、下部を支点として起立状態からほぼ水平状態にわたって可動可能に構成されている。ユニット支持部材８には、空調ユニット１００の背部を固定するためのボルトを挿通可能な取付孔が設けられている。
【００１５】
複数のベース部材２，３は、空調ユニット１００の幅方向、搬送装置１の幅方向に並んで設けられている。この幅方向は、搬送装置１において連結部材４，５，６に対してベース部材２，３がスライド可能なスライド方向でもある。ベース部材２とベース部材３の並び方向に対して直交する方向は、搬送装置１の短手方向である奥行方向に相当する。
【００１６】
搬送装置１は、連結部材４，５，６として第１連結部材４、第２連結部材５、第３連結部材６を備える。各連結部材４，５，６は、複数のベース部材２，３の並び方向に延びる細長状の部材であり、同等の長手方向長さを有している。第１連結部材４と第２連結部材５は、同様の構成、形状、大きさの部材である。
【００１７】
第１連結部材４は、ベース部材２における第１枠部２０ａとベース部材３における第１枠部３０ａとを、ベース部材２，３全体の幅方向長さを大きく設定する場合と小さく設定する場合との両方に連結可能とする部材である。ベース部材２，３全体の幅方向長さを大きく設定する場合は、大きなサイズの空調ユニット１００を搬送するときに搬送装置１の幅方向長さを空調ユニット１００に適合させる場合である。ベース部材２，３全体の幅方向長さを小さく設定する場合は、小さなサイズの空調ユニット１００を搬送するときに搬送装置１の幅方向長さを空調ユニット１００に適合させる場合である。
【００１８】
第１連結部材４と第１枠部２０ａおよび第１枠部３０ａとは、固定具９によって、幅方向長さを大きく設定する場合と幅方向長さを小さく設定する場合とのそれぞれにおいて４箇所で固定される。固定具９は、軸部に雄ねじ部が形成されたボルト、ねじ等の締結部材が用いられる。また、固定具９には、ねじ部を備えず係合や嵌合によってベース部材に固定される機能部を有する係止部材等を用いることもできる。第１連結部材４は、第１枠部２０ａ、第１枠部３０ａのそれぞれの上壁、下壁および側壁を覆うように各枠部の外側に嵌められる。第１連結部材４は、スライド方向に並置された第１枠部２０ａと第１枠部３０ａに対して、横から外嵌めするような移動軌跡を描いて設置することができる。
【００１９】
第２連結部材５は、ベース部材２における第２枠部２０ｂとベース部材３における第２枠部３０ｂとを、ベース部材２，３全体の幅方向長さを大きく設定する場合と小さく設定する場合との両方に連結可能とする部材である。第２連結部材５と第２枠部２０ｂおよび第２枠部３０ｂとは、固定具９によって、幅方向長さを大きく設定する場合と幅方向長さを小さく設定する場合とのそれぞれにおいて４箇所で固定される。第２連結部材５は、第２枠部２０ｂ、第２枠部３０ｂのそれぞれの上壁、下壁および側壁を覆うように各枠部の外側に嵌められる。第２連結部材５は、スライド方向に並置された第２枠部２０ｂと第２枠部３０ｂに対して、第１連結部材４の場合と同じ方向に横から外嵌めするような移動軌跡を描いて設置することができる。
【００２０】
第３連結部材６は、ベース部材２における第３枠部２０ｃとベース部材３における第３枠部３０ｃとを、ベース部材２，３全体の幅方向長さを大きく設定する場合と小さく設定する場合との両方に連結可能とする部材である。第３連結部材６と第３枠部２０ｃおよび第３枠部３０ｃとは、固定具９によって、幅方向長さを大きく設定する場合と幅方向長さを小さく設定する場合とのそれぞれにおいて４箇所で固定される。第３連結部材６は、第３枠部２０ｃおよび第３枠部３０ｃそれぞれの上壁、下壁および側壁を覆うように各枠部の外側に嵌められる。第３連結部材６は、スライド方向に並置された第３枠部２０ｃと第３枠部３０ｃに対して、第１連結部材４の場合とは反対方向に横から外嵌めするような移動軌跡を描いて設置することができる。第１連結部材４、第２連結部材５、第３連結部材６は、搬送装置１において、複数のベース部材のうち隣り合う２個のベース部材を連結する寸法可変部材として機能する。
【００２１】
第１連結部材４、第２連結部材５の構成について、図６〜図８を参照しながら第１連結部材４を代表して説明する。
【００２２】
第１連結部材４は、断面形状がコの字状またはＵ字状であり、全体が細長状の角形部材４０である。角形部材４０は、それぞれ矩形状である上壁４０ａ、側壁、下壁４０ｂを一体に備えて形成されている。側壁は、上下方向に離間している上壁４０ａと下壁４０ｂとを端部で連絡している。側壁は、搬送装置１において正面の一部である。第１連結部材４は、スライド方向またはベース部材２，３の並び方向に間隔をあけて設けられた複数の連結側孔部４０ａ１，４０ａ２を備えている。複数の連結側孔部４０ａ１，４０ａ２は、上壁４０ａを上下に貫通する孔部であり、固定具９が挿通可能な内径寸法で形成されている。第１連結部材４は、スライド方向またはベース部材２，３の並び方向に間隔をあけて下壁４０ｂに設けられた複数の連結側孔部４０ｂ１，４０ｂ２を備えている。連結側孔部４０ａ１と連結側孔部４０ｂ１は、スライド方向に関して同じ位置に設けられている。連結側孔部４０ａ２と連結側孔部４０ｂ２は、スライド方向に関して同じ位置に設けられている。複数の連結側孔部４０ｂ１，４０ｂ２は、下壁４０ｂを上下に貫通する雌ねじ部であり、固定具９の雄ねじ部が螺合可能な雌ねじ部を備えている。
【００２３】
また、複数の連結側孔部４０ｂ１，４０ｂ２は、固定具９が挿通可能な内径寸法で形成された貫通孔部として構成してもよい。この場合、連結部材の所定の連結側孔部と枠部の所定のベース側孔部とを適切に一致させた状態で、雄ねじ部を有していない固定具９を上から下へ差し込むことによりベース部材２とベース部材３とを連結部材によって連結することができる。
【００２４】
第１連結部材４は、枠部２０，３０または角形部材４０よりも下方においてベース部材２，３の並び方向に離間する複数の管状部４１を備える。２個の管状部４１は、所定の間隔をあけて角形部材４０と一体に設けられている。２個の管状部４１は、第２連結部材５の２個の管状部５１および第３連結部材６の２個の管状部５１とともに、搬送装置１を運ぶ際に搬送装置１を保持するための保持部として機能する。
【００２５】
第１枠部２０ａと第１枠部３０ａとを第１連結部材４によって連結した状態では、第１連結部材４は、第１枠部２０ａと第１枠部３０ａにおける上壁、側壁および下壁を覆うように、第１枠部２０ａと第１枠部３０ａに対して外側から接触している。
【００２６】
第３連結部材６の構成について、図９〜図１１を参照しながら説明する。第３連結部材６は、搬送装置１において、奥行方向に底板部２２，３２を介して第１連結部材４と対向する第２連結部材５のそばで第２連結部材５と平行とるように設けられている。第３連結部材６は、第１連結部材４とともに搬送装置１における奥行方向の端部に位置して外枠を構成している。
【００２７】
第３連結部材６は、断面形状がコの字状またはＵ字状であり全体が細長状の角形部材６０を備える。角形部材６０は、それぞれ矩形状である上壁６０ａ、側壁、下壁６０ｂを一体に備えて形成されている。側壁は、上下方向に離間している上壁６０ａと下壁６０ｂとを端部で連絡している。側壁は、搬送装置１において背面の一部である。第３連結部材６は、スライド方向またはベース部材２，３の並び方向に間隔をあけて設けられた複数の連結側孔部６０ａ１，６０ａ２を備えている。複数の連結側孔部６０ａ１，６０ａ２は、上壁６０ａを上下に貫通する孔部であり、固定具９が挿通可能な内径寸法で形成されている。第３連結部材６は、スライド方向またはベース部材２，３の並び方向に間隔をあけて下壁６０ｂに設けられた複数の連結側孔部６０ｂ１，６０ｂ２を備えている。連結側孔部６０ａ１と連結側孔部６０ｂ１は、スライド方向に関して同じ位置に設けられている。連結側孔部６０ａ２と連結側孔部６０ｂ２は、スライド方向に関して同じ位置に設けられている。複数の連結側孔部６０ｂ１，６０ｂ２は、下壁６０ｂを上下に貫通する雌ねじ部であり、固定具９の雄ねじ部が螺合可能な雌ねじ部を備えている。また、複数の連結側孔部６０ｂ１，６０ｂ２は、前述した第１連結部材４の説明と同様に、固定具９が挿通可能な内径寸法で形成された貫通孔部として構成してもよい。
【００２８】
第３連結部材６は、枠部２０，３０または角形部材６０よりも下方においてベース部材２，３の並び方向に離間する複数の管状部６１を備える。２個の管状部６１は、所定の間隔をあけて角形部材６０と一体に設けられている。第３枠部２０ｃと第３枠部３０ｃとを第３連結部材６によって連結した状態では、第３連結部材６は、第３枠部２０ｃと第３枠部３０ｃにおける上壁、側壁および下壁を覆うように、第３枠部２０ｃと第３枠部３０ｃに対して外側から接触している。
【００２９】
搬送装置１の幅方向長さを大きく設定する場合、すなわちサイズの大きな空調ユニット１００を設置する場合は、図２、図１７に示している。この場合、スライド方向両側に位置する２個の連結側孔部４０ａ１，４０ｂ１は、ベース側孔部２０ａ３，３０ａ３と一致させて固定具９によって固定される孔部である。さらに連結側孔部４０ａ１よりもスライド方向内側に位置する２個の連結側孔部４０ａ２，４０ｂ２は、ベース側孔部２０ａ１，３０ａ１と一致させて固定具９によって固定される孔部である。スライド方向両側に位置する２個の連結側孔部５０ａ１，５０ｂ１は、ベース側孔部２０ｂ３，３０ｂ３と一致させて固定具９によって固定される孔部である。連結側孔部５０ａ１よりもスライド方向内側に位置する２個の連結側孔部５０ａ２，５０ｂ２は、ベース側孔部２０ｂ１，３０ｂ１と一致させて固定具９によって固定される孔部である。スライド方向両側に位置する２個の連結側孔部６０ａ１，６０ｂ１は、ベース側孔部２０ｃ３，３０ｃ３と一致させて固定具９によって固定される孔部である。連結側孔部６０ａ１よりもスライド方向内側に位置する２個の連結側孔部６０ａ２，６０ｂ２は、ベース側孔部２０ｃ１，３０ｃ１と一致させて固定具９によって固定される孔部である。
【００３０】
搬送装置１の幅方向長さを小さく設定する場合、すなわちサイズの小さな空調ユニット１００を設置する場合は、図３、図１６に示している。この場合、スライド方向両側に位置する２個の連結側孔部４０ａ１，４０ｂ１は、ベース側孔部２０ａ４，３０ａ４と一致させて固定具９によって固定される孔部である。さらに２個の連結側孔部４０ａ２，４０ｂ２は、ベース側孔部２０ａ２，３０ａ２と一致させて固定具９によって固定される孔部である。スライド方向両側に位置する２個の連結側孔部５０ａ１，５０ｂ１は、ベース側孔部２０ｂ４，３０ｂ４と一致させて固定具９によって固定される孔部である。連結側孔部５０ａ１よりもスライド方向内側に位置する２個の連結側孔部５０ａ２，５０ｂ２は、ベース側孔部２０ｂ２，３０ｂ２と一致させて固定具９によって固定される孔部である。スライド方向両側に位置する２個の連結側孔部６０ａ１，６０ｂ１は、ベース側孔部２０ｃ４，３０ｃ４と一致させて固定具９によって固定される孔部である。連結側孔部６０ａ１よりもスライド方向内側に位置する２個の連結側孔部６０ａ２，６０ｂ２は、ベース側孔部２０ｃ２，３０ｃ２と一致させて固定具９によって固定される孔部である。
【００３１】
第２連結部材５の、角形部材５０、上壁５０ａ、下壁５０ｂ、管状部５１は、第１連結部材４の、角形部材４０、上壁４０ａ、下壁４０ｂ、管状部４１にそれぞれ対応し、同様の構成、機能である。第２連結部材５の、連結側孔部５０ａ１、連結側孔部５０ａ２、連結側孔部５０ｂ１、連結側孔部５０ｂ２は、第１連結部材４の、連結側孔部４０ａ１、連結側孔部４０ａ２、連結側孔部４０ｂ１、連結側孔部４０ｂ２にそれぞれ対応し、同様の構成、機能である。
【００３２】
第３連結部材６の、角形部材６０、上壁６０ａ、下壁６０ｂ、管状部６１は、第１連結部材４の、角形部材４０、上壁４０ａ、下壁４０ｂ、管状部４１にそれぞれ対応し、同様の構成、機能である。第３連結部材６の、連結側孔部６０ａ１、連結側孔部６０ａ２、連結側孔部６０ｂ１、連結側孔部６０ｂ２は、第１連結部材４の、連結側孔部４０ａ１、連結側孔部４０ａ２、連結側孔部４０ｂ１、連結側孔部４０ｂ２にそれぞれ対応し、同様の構成、機能である。
【００３３】
搬送装置１は、ユニット支持部材８に固定支持した空調ユニット１００を、例えば、製造場所から車両に搭載する組み付け現場に搬送するために用いられ、繰り返し使用可能な運搬用部材を組み合わせた装置である。搬送装置１は鋼材等を組み立てて形成した金枠を構成する。ベース部材２とベース部材３は、同様の形状および構成である。以下、ベース部材２について記載する説明はベース部材３についても適用できるものとする。また、ベース部材２、ベース部材３の両方に共通する内容を説明する場合には、符号を省略して単にベース部材と記載することがある。
【００３４】
ベース部材２は、ユニット支持部材８が固定されている枠部２０と、枠部２０を構成する角形管をつなぐ底板部２２と、枠部２０における角部である４か所にそれぞれ上方向に延びる柱状部７と、を備える。枠部２０は、例えばＬ形アングル、角形パイプ等の部材を組み合わせることにより形成されている。枠部２０は、第１枠部２０ａ、第２枠部２０ｂおよび第３枠部２０ｃを含む。第２枠部２０ｂと第３枠部２０ｃには、ユニット支持部材８の下部が固定されており、空調ユニット１００の背面側の下方に位置している。第１枠部２０ａは、空調ユニット１００の背面側の下方に位置している。図１５に示すように、空調ユニット１００は奥行方向について第１枠部２０ａと第２枠部２０ｂの間に位置している。
【００３５】
柱状部７は、例えば角形パイプ等の部材を組み合わせることにより形成されている。並置したベース部材２とベース部材３とを連結部材４，５，６によって一体に連結した状態では、ベース部材２とベース部材３と合わせて形成された矩形状の枠体における４箇所の角部に柱状部７が設けられることになる。
【００３６】
各柱状部７は、枠部２０よりも上方に延びる上方突出部７０と、上方突出部７０に接続されて上方突出部７０よりも上方に突出する第１突出部７１と、枠部２０よりも下方に位置する下方突出部７２と、を備える。上方突出部７０は、第１突出部７１よりも外形が大きく、第１突出部７１が固定されるとともに枠部２０に一体に設けられている。下方突出部７２は、柱状部７において最も下方に位置し、搬送装置１を床面に置いた場合に床面に接触する部分である。第１突出部７１の上端は、図１４、図１５に示すように、ユニット支持部材８に空調ユニット１００を装着した状態で空調ユニット１００の上端よりも上方に位置する。この構成により、空調ユニット１００は搬送装置１の端部から突出することなく、上下方向および横方向について搬送装置１の内部に存在するように設置されている。
【００３７】
柱状部７は、最下部である下方突出部７２、上方突出部７０、第１突出部７１の順に外形寸法が小さくなり、細くなる形状である。下方突出部７２は、下端が下方に向けて開口する下端開口部を備えた筒状をなしている。第１突出部７１は、筒状の下方突出部７２の内側に挿通可能となる外形の大きさを有している。上方突出部７０は、筒状の下方突出部７２の内側に挿通できない外形の大きさを有している。または上方突出部７０は、下方突出部７２の内側において下方突出部７２の内側部に接触することによってある位置までしか進入できないような外形の大きさを有している。
【００３８】
図１８〜図２０に示すように複数の搬送装置１を段積みする際に、上方突出部７０は、その上端または外郭が下方突出部７２の内部に接触することで、下方のベース部材が上方のベース部材に対して上方向に移動することを阻止するストッパとして機能する。このように柱状部７は、複数の搬送装置１を上下に段積みする際の支柱として機能する。さらに柱状部７は、柱状部７の高さを調整可能する調整部７０ａを備えている。調整部７０ａは、図１３に示すように、上方突出部７０よりも上方に突出する第１突出部７１の突出長さを調整可能とする機能を有する。
【００３９】
第１突出部７１は、上方突出部７０の上端よりも下方において調整部７０ａによって上方突出部７０に固定されている。このように第１突出部７１が固定されている部分は、上方突出部７０の内側に挿入された状態であり、貫通する雌ねじ部が設けられている。柱状部７における上方突出部７０には、調整部７０ａを構成する雄ねじが挿通可能な上下方向に長い長穴が貫通している。この長穴の上下方向長さの範囲で、第１突出部７１が上方突出部７０よりも突出する長さを上下方向に調整することができる。作業者は、雄ねじを緩めた状態で上方突出部７０よりも突出する第１突出部７１の長さを段積みのために適切な長さに調整し、雄ねじを締めつける。この作業により、調整部７０ａは複数の搬送装置１を段積みする際の支柱の長さを調整する機能を発揮する。
【００４０】
また、調整部７０ａは、図２０に示すように、空調ユニット１００を設置していない状態の複数の搬送装置１を上下方向に段積みする場合に第１突出部７１を折りたたむための支点として機能する。すなわち、第１突出部７１は、調整部７０ａを中心に回転するように旋回可能である。第１突出部７１の上部には、第１突出部７１が折りたたまれた場合に他の部材と接触して第１突出部７１を支持するつまみ部７１ａが設けられている。
【００４１】
ベース部材２は、柱状部７よりも枠部３０側において枠部２０よりも上方に延びる上方突出部２１と、上方突出部２１と同軸で枠部２０よりも下方に位置する下方突出部２１ａと、を備える。上方突出部２１は、幅方向長さが小さく設定された搬送装置１を上に、幅方向長さが大きく設定された搬送装置１を下にして段積みした場合に、下の搬送装置１の上方突出部２１が上の搬送装置１の下方突出部７２に嵌る位置に設けられている。上方突出部２１は、上方突出部７０よりも背が低く、筒状の下方突出部７２の内側に挿通可能となる外形の大きさを有している。下方突出部２１ａは、上方突出部７０の内側に挿通可能となる外形の大きさを有している。図１８〜図２０に示すように複数の搬送装置１を段積みする際に、上方突出部２１は、その上端または外郭が下方突出部７２の内部に接触することで、下方のベース部材が上方のベース部材に対して上方向に移動することを阻止するストッパとして機能する。
【００４２】
下方突出部２１ａは、幅方向長さが大きく設定された搬送装置１を上に、幅方向長さが小さく設定された搬送装置１を下にして段積みした場合に、上の搬送装置１の下方突出部２１ａが下の搬送装置１の上方突出部７０に嵌る位置に設けられている。図１８〜図２０に示すように複数の搬送装置１を段積みする際に、上方突出部７０は、その内側に下方突出部２１ａが嵌り上端が枠部２０に接触することで、下方のベース部材が上方のベース部材に対して上方向に移動することを阻止するストッパとして機能する。
【００４３】
搬送装置１は、第１突出部７１の上部に固定可能なアタッチメント７３を備える。アタッチメント７３は、柱状部７の上下方向長さをさらに長く設定する場合に、第１突出部７１に装着する部材である。図１２に示すように、アタッチメント７３は、第１突出部７１の上部に設けられた雌ねじ部７１ｂに螺合可能なねじ部７３ａを備える。搬送装置１に設置する空調ユニット１００の上下方向長さが大きく、空調ユニット１０００の上端が第１突出部７１の上端よりも上方に位置する場合には、アタッチメント７３を使用することで、空調ユニット１００を搬送装置１の内部に収容することができる。
【００４４】
ベース部材３における、枠部３０、上方突出部３１、下方突出部３１ａ、底板部３２は、ベース部材２における、枠部２０、上方突出部２１、下方突出部２１ａ、底板部２２にそれぞれ対応し、同様の構成、機能である。ベース部材３における、第１枠部３０ａ、第２枠部３０ｂ、第３枠部３０ｃは、ベース部材２における、第１枠部２０ａ、第２枠部２０ｂ、第３枠部２０ｃにそれぞれ対応し、同様の構成、機能である。第１枠部３０ａの、ベース側孔部３０ａ１、ベース側孔部３０ａ２、ベース側孔部３０ａ３、ベース側孔部３０ａ４は、ベース側孔部２０ａ１、ベース側孔部２０ａ２、ベース側孔部２０ａ３、ベース側孔部２０ａ４にそれぞれ対応し、同様の構成、機能である。第２枠部３０ｂの、ベース側孔部３０ｂ１、ベース側孔部３０ｂ２、ベース側孔部３０ｂ３、ベース側孔部３０ｂ４は、ベース側孔部２０ｂ１、ベース側孔部２０ｂ２、ベース側孔部２０ｂ３、ベース側孔部２０ｂ４にそれぞれ対応し、同様の構成、機能である。第３枠部３０ｃの、ベース側孔部３０ｃ１、ベース側孔部３０ｃ２、ベース側孔部３０ｃ３、ベース側孔部３０ｃ４は、ベース側孔部２０ｃ１、ベース側孔部２０ｃ２、ベース側孔部２０ｃ３、ベース側孔部２０ｃ４にそれぞれ対応し、同様の構成、機能である。
【００４５】
次に、複数の搬送装置１を上下に段積みする場合の作業について説明する。幅方向長さが大きく設定された搬送装置１と幅方向長さが小さく設定された搬送装置１は、図１８〜図２０に図示するように、上下に積み重ねて段積みすることが可能である。この場合、ユニット支持部材８と第１突出部７１は折りたたまれて、搬送装置１の最上部は上方突出部７０の上端部となる。
【００４６】
幅方向長さが大きく設定された搬送装置１を上にし幅方向長さが小さく設定された搬送装置１を下にして段積みする場合は、図１８、図１９、図２１に示すように、上の搬送装置１の下方突出部２１ａと下の搬送装置１の上方突出部７０とを嵌め合わせる。幅方向長さが小さく設定された搬送装置１を上にし幅方向長さが大きく設定された搬送装置１を下にして段積みする場合は、図１８、図１９、図２２に示すように、上の搬送装置１の下方突出部７２と下の搬送装置１の上方突出部２１とを嵌め合わせる。また、同じ幅方向長さの搬送装置１を上下にして段積みする場合は、上の搬送装置１の下方突出部７２と下の搬送装置１の上方突出部７０とを嵌め合わせる。このように幅方向長さが異なる搬送装置１を段積みすることが可能であり、段積みした状態で運搬することができる。搬送装置１は、空の搬送装置１を輸送する際の輸送効率の向上や、複数の搬送装置１を保管する保管スペースの抑制を図ることができる。
【００４７】
次に、第１実施形態の搬送装置１がもたらす作用、効果について説明する。搬送装置１は、空調ユニット１００が取り付けられる複数のユニット支持部材８と、ユニット支持部材がそれぞれ固定されている複数のベース部材２，３と、を備える。さらに搬送装置１は、複数のベース部材のうち隣り合う２個のベース部材を連結する寸法可変部材を備える。この寸法可変部材は、複数のベース部材２，３全体の幅方向長さを少なくとも２種類の長さに変更可能な構成を備える。
【００４８】
この搬送装置１によれば、隣り合う２個のベース部材２，３を連結する寸法可変部材は、複数のベース部材２，３全体の幅方向長さを少なくとも２種類の長さに変更することができる。これにより、搬送する空調ユニット１００の幅方向長さに合わせて、寸法可変部材によって複数のベース部材２，３全体の幅方向長さを適切な長さに調節することができる。搬送装置１は、異なる幅方向長さを有する複数種類の空調ユニット１００を無駄な空きスペースを大きくすることなく、設置することができる。したがって、空調ユニットのサイズバリエーションに対応可能な搬送装置１を提供できる。言い換えれば、単一の搬送装置１によって多種の空調ユニットを搬送することを実現でき、搬送装置１に係る保管場所を抑え、管理工数を抑えることができる。また、搬送する空調ユニットのサイズに合わせた大きさに搬送装置１を寸法調整することにより、空調ユニット１００の大きさに対して無駄に大きすぎることがない搬送装置１を提供できる。
【００４９】
ベース部材２とベース部材３は、複数のベース部材２，３の並び方向に沿って延びる枠部２０と枠部３０を備える。寸法可変部材は、当該並び方向に隣接する２個のベース部材２，３に関する枠部２０と枠部３０とを複数の異なる離間距離で連結可能な連結部材４，５，６を備えている。この構成によれば、当該並び方向、すなわち複数のベース部材２，３全体の幅方向について枠部２０と枠部３０とを、全体長さを少なくとも２種類の長さに変更可能なように橋渡しする連結部材を備えている。これにより、連結部材自体の長さと、連結部材と各枠部との結合位置を設定することにより、長さ調節のための複雑な構成を備えることなく、様々な幅方向長さの空調ユニット１００を設置可能な搬送装置１を提供できる。
【００５０】
連結部材４，５，６は、複数のベース部材２，３の並び方向に間隔をあけて並ぶ複数の連結側孔部を有する。枠部２０，３０は、当該並び方向に間隔をあけて並ぶ複数のベース側孔部を有する。搬送装置１は、連結側孔部とベース側孔部とに挿通された状態で、当該並び方向に隣接する枠部２０と枠部３０とを固定する固定具９を備える。この構成によれば、複数の連結側孔部および複数のベース側孔部のうちの、固定具９が挿通される連結側孔部とベース側孔部の組み合わせを変更することによって、連結部材に対する各枠部の結合位置を変更することができる。したがって、複数の孔部のうち、固定具９によって固定する連結側孔部とベース側孔部の組み合わせを空調ユニット１００の幅方向長さに合わせて選択することにより、容易に調節可能な搬送装置１を提供できる。例えば、選択すべき孔部の組み合わせを搬送装置１に表示する構成とすることによれば、作業者はスムーズな長さ調整作業を実施できる。
【００５１】
さらに連結部材４，５，６は、枠部２０，３０の上壁、下壁および側壁を覆うように枠部２０，３０の外側に嵌められる構成である。この構成によれば、連結側孔部とベース側孔部との組み合わせを、空調ユニットの幅方向長さに適合した組み合わせに変更する場合に、連結部材を枠部に対して横から嵌めこむ作業によって実施することができる。これにより、枠部２０，３０に設けられたベース側孔部と連結部材４，５，６に設けられた連結側孔部とを目視しながら位置合わせ作業を実施しやすい。また高い位置での作業であっても負担の少ない作業を実施することができる。
【００５２】
連結部材４，５，６は、枠部２０，３０の上壁、下壁および側壁を覆うように枠部２０，３０の外側に嵌められる構成である。複数の連結側孔部は、枠部２０，３０の上壁、下壁を覆う連結部材４，５，６の上壁、下壁にそれぞれ設けられている。複数のベース側孔部は、枠部２０，３０の上壁、下壁にそれぞれ設けられている。この構成によれば、適切な組み合わせに設定した連結側孔部とベース側孔部とを固定するときに、雄ねじ部を有していない固定具９を上から下へ差し込む作業によって実施することができる。
【００５３】
固定具９は雄ねじ部を有する。連結部材４，５，６の下壁に設けられている連結側孔部は、固定具９の雄ねじ部が螺合可能な雌ねじ部を備えている。この構成によれば、固定具９を連結側孔部とベース側孔部に差し入れて、上から固定具９を回して雄ねじ部と連結側孔部の雌ねじ部とを螺合させていく作業により、連結部材４，５，６で枠部２０，３０を挟み込んで両者を強固に固定することができる。したがって、ベース部材２とベース部材３とを橋渡しする部分の強度向上を図る搬送装置１を提供できる。
【００５４】
ベース部材２，３は、それぞれ枠部２０，３０よりも上方に突出する形状であるとともに当該並び方向に間隔をあけて設けられる複数の上方突出部７０，２１，３１を備える。ベース部材２，３は、それぞれ枠部２０，３０よりも下方に突出する形状であるとともに当該並び方向に間隔をあけて設けられる複数の下方突出部７２，２１ａ，３１ａを備える。枠部２０と枠部３０との離間距離が異なる搬送装置１を上下方向に積み上げた状態で、下方の搬送装置１における上方突出部と下方の搬送装置１における下方突出部とは、互いに嵌り合う位置に設けられている。
【００５５】
この構成によれば、搬送装置１を上下に段積みする場合に、上の搬送装置１における複数の下方突出部のうちいずれかと下の搬送装置１における複数の上方突出部のうちいずれかとを嵌め合わせることができる。この嵌め合わせる下方突出部と上方突出部との組み合わせを適宜選択することで、幅方向長さが異な２個の搬送装置を上下に段積みすることができる。これにより、幅方向長さが異なる複数種類の空調ユニット１００を取り付けた状態の搬送装置１を上下に段積みして輸送することができ、空調ユニットのサイズバリエーションに対応可能で、輸送性にも優れた搬送装置１を提供できる。
【００５６】
ベース部材２，３は、上方突出部７０よりも上方に突出する第１突出部７１と、上方に延びる形状であって第１突出部７１に対して着脱可能に設けられたアタッチメント７３と、を備える。この構成によれば、第１突出部７１に対してアタッチメント７３を装着した場合と装着しない場合とで搬送装置１の上下方向長さを変更することができる。
【００５７】
搬送装置１は、ベース部材２，３の並び方向に対して直交する方向に離間して対向する２個の連結部材４，５，６を備える。この構成によれば、直交する方向に離間する複数箇所においてベース部材２，３を連結する構成を提供できるので、搬送装置１の剛性を高めることができる。
【００５８】
連結部材４，５，６のそれぞれは、枠部２０，３０よりも下方において当該並び方向に離間する複数の管状部４１，５１，６１を備える。この構成によれば、管状部にフォークリフト等のフォークを差し込んだ状態で単数または複数段積みした搬送装置１を持ち上げ可能であるとともに、複数の管状部が一体に設けられることによって、ベース部材を連結するための連結部材の剛性を高めることができる。
【００５９】
（他の実施形態）
この明細書の開示は、例示された実施形態に制限されない。開示は、例示された実施形態と、それらに基づく当業者による変形態様を包含する。例えば、開示は、実施形態において示された部品、要素の組み合わせに限定されず、種々変形して実施することが可能である。開示は、多様な組み合わせによって実施可能である。開示は、実施形態に追加可能な追加的な部分をもつことができる。開示は、実施形態の部品、要素が省略されたものを包含する。開示は、ひとつの実施形態と他の実施形態との間における部品、要素の置き換え、または組み合わせを包含する。開示される技術的範囲は、実施形態の記載に限定されない。開示される技術的範囲は、特許請求の範囲の記載によって示され、さらに特許請求の範囲の記載と均等の意味および範囲内での全ての変更を含むものと解されるべきである。
【００６０】
前述の実施形態において、各連結部材と各枠部との固定位置は２通りであるが、固定位置はこの組み合わせに限定されない。各連結部材と各枠部との固定位置は３通り以上の組み合わせで構成してもよい。つまり、明細書に開示の目的を達成可能な搬送装置１は、幅方向長さを２種類に調節可能な装置だけでなく、３種類以上に調整可能な装置である。
【００６１】
前述の実施形態において、搬送装置１は幅方向に並ぶ２個のベース部材を備え、この２個のベース部材同士を連結する連結部材を備える構成である。しかしながら、明細書に開示の目的を達成可能な搬送装置１は、ベース部材の個数を３個以上有し、幅方向について２箇所以上の連結部材を備える構成でもよい。
【００６２】
前述の実施形態においてベース部材等の搬送装置を構成する各部材は、鋼材等を組み合わせた部材であるが、このような形態に限定するものではない。ベース部材は、例えばプレス加工によって形成された金属製の部材、金型を用いた樹脂成形品であってもよい。
【００６３】
前述の実施形態における、空調ユニット１００を取り付けた状態の搬送装置１は、上下に複数個積み重ねて段積みすることが可能である。
【符号の説明】
【００６４】
１…搬送装置、  ２，３…ベース部材
４…第１連結部材（連結部材、寸法可変部材）
５…第２連結部材（連結部材、寸法可変部材）
６…第３連結部材（連結部材、寸法可変部材）
８…ユニット支持部材、  ９…固定具、  １００…空調ユニット
【図１】
2018203271.tif 000003
【図２】
2018203271.tif 000004
【図３】
2018203271.tif 000005
【図４】
2018203271.tif 000006
【図５】
2018203271.tif 000007
【図６】
2018203271.tif 000008
【図７】
2018203271.tif 000009
【図８】
2018203271.tif 000010
【図９】
2018203271.tif 000011
【図１０】
2018203271.tif 000012
【図１１】
2018203271.tif 000013
【図１２】
2018203271.tif 000014
【図１３】
2018203271.tif 000015
【図１４】
2018203271.tif 000016
【図１５】
2018203271.tif 000017
【図１６】
2018203271.tif 000018
【図１７】
2018203271.tif 000019
【図１８】
2018203271.tif 000020
【図１９】
2018203271.tif 000021
【図２０】
2018203271.tif 000022
【図２１】
2018203271.tif 000023
【図２２】
2018203271.tif 000024